【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
音または音場の圧縮された高次アンビソニックス（HOA）表現をデコードする方法であって、当該方法は：
基本層および二つ以上の階層式の向上層を含む複数の階層式の層に対応する前記圧縮されたHOA表現を含み、かつ、基本層に関連付けられている基本サイド情報および前記二つ以上の階層式の向上層に関連付けられている向上サイド情報を含むビットストリームを受領する段階を含み、
前記複数の層には、前記音または音場の基本的な圧縮された音表現の成分が割り当てられており、それらの成分は、それぞれの成分グループにおいてそれぞれの層に割り当てられており、
前記二つ以上の階層式の向上層は最高の使用可能な階層式の向上層を含み、
前記二つ以上の階層式の向上層のそれぞれは、それぞれの層および該それぞれの層より低い任意の諸層に含まれるデータから得られる基本的な再構成された音表現を改善するためのパラメータを含む前記向上サイド情報の部分を含み、
当該方法がさらに、基本層に関連付けられている前記基本サイド情報に基づき、かつ前記最高の使用可能な階層式の向上層に関連付けられている前記向上サイド情報の前記部分に基づき、かつ前記二つ以上の階層式の向上層の他のいかなる層に関連付けられている前記向上サイド情報の前記部分にも基づかずに、前記圧縮されたHOA表現をデコードする段階を含む、
ことを特徴とする方法。
【請求項２】
前記基本的な圧縮された音表現の成分はモノラル信号に対応し；
前記モノラル信号は、優勢音信号またはHOA表現の係数シーケンスのいずれかを表わす、
請求項１記載の方法。
【請求項３】
前記ビットストリームは、前記一つまたは複数の階層式の層にそれぞれ対応するデータ・ペイロードを含む、請求項１または２記載の方法。
【請求項４】
前記向上サイド情報は、空間的予測、サブバンド方向性信号合成およびパラメトリック周囲音複製のうちの少なくとも一つに関係したパラメータを含む、および／または
前記向上サイド情報は、方向性信号からの音または音場の欠けている部分の予測を許容する情報を含む、
請求項１ないし３のうちいずれか一項記載の方法。
【請求項５】
各層について、該それぞれの層が有効に受領されたかどうかを判定し；
有効に受領されていない最低の層のすぐ下の層の層インデックスを判別することをさらに含む、
請求項１ないし４のうちいずれか一項記載の方法。
【請求項６】
前記層インデックスに等しいまたはデコードの際の向上サイド情報の省略を示すさらなる層インデックスを決定することをさらに含む、請求項５記載の方法。
【請求項７】
前記基本層が、追加的な基本サイド情報の、それぞれの層に対応する少なくとも一つの部分であって、該それぞれの層および該それぞれの層より低い任意の諸層に割り当てられた他の成分に依存して該それぞれの層に割り当てられた成分のうちの一つまたは複数の成分のデコードを指定する情報を含む部分を含み、当該方法は、追加的な基本サイド情報のそれぞれの部分について：
追加的な基本サイド情報の前記部分を、そのそれぞれの層および該それぞれの層より低い任意の諸層に割り当てられた成分を参照することによってデコードし；
追加的な基本サイド情報の前記部分を、前記最高の使用可能な階層式の向上層および前記最高の使用可能な階層式の向上層と該それぞれの層の間の任意の諸層に割り当てられた成分を参照することによって補正することを含み、
前記基本的な再構成された音表現は、前記最高の使用可能な階層式の向上層および前記最高の使用可能な階層式の向上層より低い任意の諸層に割り当てられた成分を参照から、前記基本サイド情報と、前記最高の使用可能な階層式の向上層までの諸層に対応する追加的な基本サイド情報の諸部分から得られる、追加的な基本サイド情報の補正された諸部分とを使って、得られる、
請求項１ないし６のうちいずれか一項記載の方法。
【請求項８】
音または音場の圧縮された高次アンビソニックス（HOA）音表現をデコードするための装置であって、当該装置は：
基本層および二つ以上の階層式の向上層を含む複数の階層式の層に対応する前記圧縮されたHOA表現を含み、かつ、基本層に関連付けられている基本サイド情報および前記二つ以上の階層式の向上層に関連付けられている向上サイド情報を含むビットストリームを受領する受領器を含む、
前記複数の層には、前記音または音場の基本的な圧縮された音表現の成分が割り当てられており、それらの成分は、それぞれの成分グループにおいてそれぞれの層に割り当てられており、
前記二つ以上の階層式の向上層は最高の使用可能な階層式の向上層を含み、
前記二つ以上の階層式の向上層のそれぞれは、それぞれの層および該それぞれの層より低い任意の諸層に含まれるデータから得られる基本的な再構成された音表現を改善するためのパラメータを含む前記向上サイド情報の部分を含み、
当該装置がさらに、基本層に関連付けられている前記基本サイド情報に基づき、かつ前記最高の使用可能な階層式の向上層に関連付けられている前記向上サイド情報の前記部分に基づき、かつ前記二つ以上の階層式の向上層の他のいかなる層に関連付けられている前記向上サイド情報の前記部分にも基づかずに、前記圧縮されたHOA表現をデコードするデコーダを有する、
ことを特徴とする装置。
【請求項９】
前記基本的な圧縮された音表現の成分はモノラル信号に対応し；
前記モノラル信号は、優勢音信号またはHOA表現の係数シーケンスのいずれかを表わす、
請求項８記載の装置。
【請求項１０】
前記ビットストリームは、前記一つまたは複数の階層式の層にそれぞれ対応するデータ・ペイロードを含む、請求項８または９記載の装置。
【請求項１１】
前記向上サイド情報は、空間的予測、サブバンド方向性信号合成およびパラメトリック周囲音複製のうちの少なくとも一つに関係したパラメータを含む；および／または
前記向上サイド情報は、方向性信号からの音または音場の欠けている部分の予測を許容する情報を含む、
請求項８ないし１０のうちいずれか一項記載の装置。
【請求項１２】
各層について、該それぞれの層が有効に受領されたかどうかを判定し；
有効に受領されていない最低の層のすぐ下の層の層インデックスを判別するよう構成されている、
請求項８ないし１１のうちいずれか一項記載の装置。
【請求項１３】
前記層インデックスに等しいまたはデコードの際の向上サイド情報の省略を示すさらなる層インデックスを決定するようさらに構成されている、請求項１２記載の装置。
【請求項１４】
前記基本層が、追加的な基本サイド情報の、それぞれの層に対応する少なくとも一つの部分であって、該それぞれの層および該それぞれの層より低い任意の諸層に割り当てられた他の成分に依存して該それぞれの層に割り当てられた成分のうちの一つまたは複数の成分のデコードを指定する情報を含む部分を含み、
追加的な基本サイド情報のそれぞれの部分について、当該装置は：
追加的な基本サイド情報の前記部分を、そのそれぞれの層および該それぞれの層より低い任意の諸層に割り当てられた成分を参照することによってデコードし；
追加的な基本サイド情報の前記部分を、前記最高の使用可能な階層式の向上層および前記最高の使用可能な階層式の向上層と該それぞれの層の間の任意の諸層に割り当てられた成分を参照することによって補正するよう構成されており、
前記基本的な再構成された音表現は、前記最高の使用可能な階層式の向上層および前記最高の使用可能な階層式の向上層より低い任意の諸層に割り当てられた成分を参照から、前記基本サイド情報と、前記最高の使用可能な階層式の向上層までの諸層に対応する追加的な基本サイド情報の諸部分から得られる、追加的な基本サイド情報の補正された諸部分とを使って、得られる、
請求項８ないし１３のうちいずれか一項記載の装置。
【請求項１５】
コンピューティング装置の一つまたは複数のプロセッサによって実行されたときに前記コンピューティング装置に請求項１ないし７のうちいずれか一項記載の方法を実行させる、コンピュータによって解釈可能な命令を有する、非一時的なコンピュータ可読媒体。
【手続補正２】
【補正対象書類名】明細書
【補正対象項目名】０１５０
【補正方法】変更
【補正の内容】
【０１５０】
本稿に記載される方法および装置は、ソフトウェア、ファームウェアおよび／またはハードウェアとして実装されてもよい。ある種のコンポーネントはたとえばデジタル信号プロセッサまたはマイクロプロセッサ上で走るソフトウェアとして実装されてもよい。他のコンポーネントはたとえば、ハードウェアとしておよびまたは特定用途向け集積回路として実装されてもよい。記載される方法および装置において出てくる信号は、ランダムアクセスメモリまたは光記憶媒体のような媒体上に記憶されてもよく、電波ネットワーク、衛星ネットワーク、無線ネットワークまたは有線ネットワーク、たとえばインターネットのようなネットワークを介して転送されてもよい。
いくつかの態様を記載しておく。
〔態様１〕
音または音場の圧縮された高次アンビソニックス（HOA）表現をデコードする方法であって、当該方法は：
基本層および一つまたは複数の階層式の向上層を含む複数の階層式の層に対応する前記圧縮されたHOA表現を含むビットストリームを受領する段階であって、前記複数の層には、前記音または音場の基本的な圧縮された音表現の成分が割り当てられており、それらの成分は、それぞれの成分グループにおいてそれぞれの層に割り当てられている、段階と；
基本層に関連付けられている基本サイド情報に基づき、かつ前記一つまたは複数の階層式の向上層に関連付けられている向上サイド情報に基づいて、前記圧縮されたHOA表現をデコードする段階とを含み、
前記一つまたは複数の階層式の向上層のそれぞれは、それぞれの層および該それぞれの層より低い任意の諸層に含まれるデータから得られる基本的な再構成された音表現を改善するためのパラメータを含む前記向上サイド情報の部分を含む、
方法。
〔態様２〕
前記基本的な圧縮された音表現の成分はモノラル信号に対応し；
前記モノラル信号は、優勢音信号またはHOA表現の係数シーケンスのいずれかを表わす、
態様１記載の方法。
〔態様３〕
前記ビットストリームは、前記一つまたは複数の階層式の層にそれぞれ対応するデータ・ペイロードを含む、態様１または２記載の方法。
〔態様４〕
前記向上サイド情報は、空間的予測、サブバンド方向性信号合成およびパラメトリック周囲音複製のうちの少なくとも一つに関係したパラメータを含む、態様１ないし３のうちいずれか一項記載の方法。
〔態様５〕
前記向上サイド情報は、方向性信号からの音または音場の欠けている部分の予測を許容する情報を含む、態様１ないし４のうちいずれか一項記載の方法。
〔態様６〕
各層について、該それぞれの層が有効に受領されたかどうかを判定し；
有効に受領されていない最低の層のすぐ下の層の層インデックスを判別することをさらに含む、
態様１ないし５のうちいずれか一項記載の方法。
〔態様７〕
前記第一の層インデックスに等しいまたはデコードの際の向上サイド情報の省略を示す第二の層インデックスを決定することをさらに含む、態様１ないし６のうちいずれか一項記載の方法。
〔態様８〕
前記基本的な圧縮された音表現をデコードして前記音または音場の基本的な再構成された音表現にするために使われる、前記複数の層のうちの最高の使用可能な層を示す第一の層インデックスを決定し；
前記最高の使用可能な層および前記最高の使用可能な層より低い任意の諸層に割り当てられた成分から、前記第一のサイド情報を使って前記基本的な再構成された音表現を得ることをさらに含む、
態様１ないし７のうちいずれか一項記載の方法。
〔態様９〕
前記基本層が、追加的な基本サイド情報の、それぞれの層に対応する少なくとも一つの部分であって、該それぞれの層および該それぞれの層より低い任意の諸層に割り当てられた他の成分に依存して該それぞれの層に割り当てられた成分のうちの一つまたは複数の成分のデコードを指定する情報を含む部分を含み、当該方法は、追加的な基本サイド情報のそれぞれの部分について：
追加的な基本サイド情報の前記部分を、そのそれぞれの層および該それぞれの層より低い任意の諸層に割り当てられた成分を参照することによってデコードし；
追加的な基本サイド情報の前記部分を、前記最高の使用可能な層および前記最高の使用可能な層と該それぞれの層の間の任意の諸層に割り当てられた成分を参照することによって補正することを含み、
前記基本的な再構成された音表現は、前記最高の使用可能な層および前記最高の使用可能な層より低い任意の諸層に割り当てられた成分を参照から、前記基本サイド情報と、前記最高の使用可能な層までの諸層に対応する追加的な基本サイド情報の諸部分から得られる、追加的な基本サイド情報の補正された諸部分とを使って、得られる、
態様１ないし８のうちいずれか一項記載の方法。
〔態様１０〕
音または音場の圧縮された高次アンビソニックス（HOA）音表現をデコードするための装置であって、当該装置は：
基本層および一つまたは複数の階層式の向上層を含む複数の階層式の層に対応する前記圧縮されたHOA表現を含むビットストリームを受領する受領器であって、前記複数の層には、前記音または音場の基本的な圧縮された音表現の成分が割り当てられており、それらの成分は、それぞれの成分グループにおいてそれぞれの層に割り当てられている、受領器と；
基本層に関連付けられている基本サイド情報に基づき、かつ前記一つまたは複数の階層式の向上層に関連付けられている向上サイド情報に基づいて、前記圧縮されたHOA表現をデコードするよう構成されたデコーダとを有し、
前記一つまたは複数の階層式の向上層のそれぞれは、それぞれの層および該それぞれの層より低い任意の諸層に含まれるデータから得られる基本的な再構成された音表現を改善するためのパラメータを含む前記向上サイド情報の部分を含む、
装置。
〔態様１１〕
前記基本的な圧縮された音表現の成分はモノラル信号に対応し；
前記モノラル信号は、優勢音信号またはHOA表現の係数シーケンスのいずれかを表わす、
態様１０記載の装置。
〔態様１２〕
前記ビットストリームは、前記一つまたは複数の階層式の層にそれぞれ対応するデータ・ペイロードを含む、態様１０または１１記載の装置。
〔態様１３〕
前記向上サイド情報は、空間的予測、サブバンド方向性信号合成およびパラメトリック周囲音複製のうちの少なくとも一つに関係したパラメータを含む、態様１０ないし１２のうちいずれか一項記載の装置。
〔態様１４〕
前記向上サイド情報は、方向性信号からの音または音場の欠けている部分の予測を許容する情報を含む、態様１０ないし１３のうちいずれか一項記載の装置。
〔態様１５〕
各層について、該それぞれの層が有効に受領されたかどうかを判定し；
有効に受領されていない最低の層のすぐ下の層の層インデックスを判別することをさらに含む、
態様１０ないし１４のうちいずれか一項記載の装置。
〔態様１６〕
前記第一の層インデックスに等しいまたはデコードの際の向上サイド情報の省略を示す第二の層インデックスを決定することをさらに含む、態様１０ないし１５のうちいずれか一項記載の装置。
〔態様１７〕
前記基本的な圧縮された音表現をデコードして前記音または音場の基本的な再構成された音表現にするために使われる、前記複数の層のうちの最高の使用可能な層を示す第一の層インデックスを決定し；
前記最高の使用可能な層および前記最高の使用可能な層より低い任意の諸層に割り当てられた成分から、前記第一のサイド情報を使って前記基本的な再構成された音表現を得ることをさらに含む、
態様１０ないし１６のうちいずれか一項記載の装置。
〔態様１８〕
前記基本層が、追加的な基本サイド情報の、それぞれの層に対応する少なくとも一つの部分であって、該それぞれの層および該それぞれの層より低い任意の諸層に割り当てられた他の成分に依存して該それぞれの層に割り当てられた成分のうちの一つまたは複数の成分のデコードを指定する情報を含む部分を含み、当該方法は、追加的な基本サイド情報のそれぞれの部分について：
追加的な基本サイド情報の前記部分を、そのそれぞれの層および該それぞれの層より低い任意の諸層に割り当てられた成分を参照することによってデコードし；
追加的な基本サイド情報の前記部分を、前記最高の使用可能な層および前記最高の使用可能な層と該それぞれの層の間の任意の諸層に割り当てられた成分を参照することによって補正することを含み、
前記基本的な再構成された音表現は、前記最高の使用可能な層および前記最高の使用可能な層より低い任意の諸層に割り当てられた成分を参照から、前記基本サイド情報と、前記最高の使用可能な層までの諸層に対応する追加的な基本サイド情報の諸部分から得られる、追加的な基本サイド情報の補正された諸部分とを使って、得られる、
態様１０ないし１７のうちいずれか一項記載の装置。